(57)【要約】【課題】複数本の鋼板を短時間で洗浄できる鋼板の洗浄装置を提供する。【解決手段】鋼板配置部２と、鋼板配置部２の配置面の第一方向に沿った方向かつ配置面に向かう方向に洗浄水を吹き付ける洗浄ノズル２１と、洗浄ノズル２１を鋼板配置部２の配置面の第一方向に沿った方向と交差する第二方向に移動させる洗浄ノズル横行部１２と、洗浄ノズル横行部１２を鋼板配置部２の配置面の第一方向に沿って移動させる洗浄ノズル縦行部１３と、洗浄ノズル縦行部１３および洗浄ノズル横行部１２の作動を制御する制御部１５と、を備え、制御部１５は、第二方向に沿って洗浄ノズル２１を移動させる横行移動と、配置面の第一方向に沿って配置面の第一方向における鋼板配置部２の配置面の長さよりも短い距離だけで洗浄ノズル２１を移動させる縦行移動と、を繰り返すように、洗浄ノズル縦行部１２および洗浄ノズル横行部１３の作動を制御する。【選択図】図１
2019217443.tif 000002
【特許請求の範囲】
【請求項１】
複数本の鋼板が配置される配置面を有する鋼板配置部と、
該鋼板配置部の上方に配置された、前記鋼板配置部の配置面の第一方向に沿った方向かつ該配置面に向かう方向に洗浄水を吹き付ける洗浄ノズルと、
該洗浄ノズルを前記鋼板配置部の配置面の第一方向に沿った方向と交差する第二方向に移動させる洗浄ノズル横行部と、
前記洗浄ノズルを前記鋼板配置部の配置面の第一方向に沿って移動させる洗浄ノズル縦行部と、
該洗浄ノズル縦行部および前記洗浄ノズル横行部の作動を制御する制御部と、を備え、
該制御部は、
前記洗浄ノズル横行部によって前記第二方向に沿って前記洗浄ノズルを移動させる横行移動と、前記洗浄ノズル縦行部によって前記配置面の第一方向に沿って該配置面の第一方向における前記鋼板配置部の配置面の長さよりも短い距離だけで前記洗浄ノズルを移動させる縦行移動と、を繰り返すように、前記洗浄ノズル縦行部および前記洗浄ノズル横行部の作動を制御する
ことを特徴とする鋼板の洗浄装置。
【請求項２】
前記洗浄ノズルが揺動した際に、該洗浄ノズルの吹き出し口から吹き出される洗浄水が前記配置面の第一方向に沿って往復移動するように、該洗浄ノズルを揺動させる往復移動機構を備えている
ことを特徴とする請求項１記載の鋼板の洗浄装置。
【請求項３】
前記吹き出し口から洗浄水を吹き出す方向が互いに平行となるように設けられた複数の前記洗浄ノズルを備えており、
前記往復移動機構は、
前記吹き出し口が往復移動する位相がズレるように前記複数の洗浄ノズルの揺動を制御する
ことを特徴とする請求項２記載の鋼板の洗浄装置。
【請求項４】
前記洗浄ノズルが、
一端に前記吹き出し口が設けられ、他端が前記第二方向と平行な軸を支点として揺動可能に設けられた軸状の部材によって形成されており、
前記往復移動機構が、
前記第二方向と平行な回転軸周りに回転する回転板と、
該回転板と前記洗浄ノズルを連結し、該回転板が回転すると前記洗浄ノズルの先端を前記配置面の第一方向に沿って揺動させるカム機構と、を備えている
ことを特徴とする請求項２または３記載の鋼板の洗浄装置。
【請求項５】
前記洗浄ノズルと前記鋼板配置部との距離を調整する高さ調整機能を有している
ことを特徴とする請求項１、２、３または４記載の鋼板の洗浄装置。
【請求項６】
前記鋼板配置部は、
その配置面を形成する網状部材からなる天板を備えている
ことを特徴とする請求項１、２、３、４または５記載の鋼板の洗浄装置。
【発明の詳細な説明】
【技術分野】
【０００１】
本発明は、鋼板の洗浄装置に関する。
【背景技術】
【０００２】
土木工事や護岸工事などにおいて、地面などを掘削して形成された穴にはその壁面が崩れてしまうことを防ぐために、土留めとして壁面に矢板が設置される。かかる矢板は、長尺な板状の部材であり、木製のものやコンクリート製のものもあるが、鋼板製のものが一般的に使用される。土留めのために使用された矢板は、土留めの必要性が無くなると引き抜かれて再使用されるが、再使用する前には水によって洗浄される。
【０００３】
従来、矢板の洗浄は人手によって行われることが一般的であった。この場合、矢板に水をかけながら作業者がブラシなどで矢板表面を擦って、矢板に付着した土などを落としていた。しかし、矢板は数十ｍの長さを有しており、しかも、一回の土留め作業には何十枚も使用されるため、作業後の矢板を洗浄する作業は非常に重労働であった。
【０００４】
そこで、矢板の洗浄作業を行う装置が開発されている（特許文献１、２参照）。
特許文献１には、矢板に衝撃を加えて矢板に付着している泥を落とした後、ローラーコンベアによって矢板をその長手方向に沿って搬送しながら高圧水を吹き付けて矢板に付いた泥を洗い流す装置が開示されている。
また、特許文献２には、ローラーコンベアによって矢板をその長手方向に沿って搬送しながら、矢板に高圧水を吹き付けつつブラシで矢板を擦って洗浄する装置が開示されている。
【先行技術文献】
【特許文献】
【０００５】
【特許文献１】特開昭５９−２２６８９号公報
【特許文献２】特開平１−１３０７７２号公報
【発明の概要】
【発明が解決しようとする課題】
【０００６】
しかし、特許文献１、２のいずれの装置も、矢板を一本ずつ搬送しながら洗浄する方法を採用している。上述したように、矢板は非常に長いため、矢板をその長手方向に送りながら一本ずつ洗浄した場合には、一本の矢板を洗浄するために非常に長い時間を要する。しかも、複数本の矢板を洗浄しなければならないので、一つの現場において土留めに使用した全ての矢板を洗浄するには非常に時間がかかる。
【０００７】
本発明は上記事情に鑑み、複数本の鋼板を短時間で洗浄できる鋼板の洗浄装置を提供することを目的とする。
【課題を解決するための手段】
【０００８】
本発明の鋼板の洗浄装置は、複数本の鋼板が配置される配置面を有する鋼板配置部と、該鋼板配置部の上方に配置された、前記鋼板配置部の配置面の第一方向に沿った方向かつ該配置面の第一方向に向かう方向に洗浄水を吹き付ける洗浄ノズルと、該洗浄ノズルを前記鋼板配置部の配置面の第一方向に沿った方向と交差する第二方向に移動させる洗浄ノズル横行部と、前記洗浄ノズルを前記鋼板配置部の配置面の第一方向に沿って移動させる洗浄ノズル縦行部と、該洗浄ノズル縦行部および前記洗浄ノズル横行部の作動を制御する制御部と、を備え、該制御部は、前記洗浄ノズル横行部によって前記第二方向に沿って前記洗浄ノズルを移動させる横行移動と、前記洗浄ノズル縦行部によって前記配置面の第一方向に沿って該配置面の第一方向における前記鋼板配置部の配置面の長さよりも短い距離だけで前記洗浄ノズルを移動させる縦行移動と、を繰り返すように、前記洗浄ノズル縦行部および前記洗浄ノズル横行部の作動を制御することを特徴とする。
【発明の効果】
【０００９】
本発明の鋼板の洗浄装置によれば、鋼板配置部の配置面の第一方向と長手方向が平行となるように複数の鋼板を並べて、洗浄ノズルを洗浄ノズル縦行部および洗浄ノズル横行部によって移動させれば、複数の鋼板を同時に洗浄することができる。したがって、多数の鋼板を効率よく洗浄することができる。
【図面の簡単な説明】
【００１０】
【図１】本実施形態の鋼板の洗浄装置１の概略側面図である。
【図２】（Ａ）は本実施形態の鋼板の洗浄装置１の概略正面図であり、（Ｂ）は本実施形態の鋼板の洗浄装置１の概略平面図である。
【図３】本実施形態の鋼板の洗浄装置１による洗浄作業の概略説明図である。
【図４】本実施形態の鋼板の洗浄装置１による洗浄作業の概略説明図である。
【図５】洗浄機構２０の概略拡大説明図である。
【発明を実施するための形態】
【００１１】
本実施形態の鋼板の洗浄装置は、鋼板等を洗浄する装置であって、複数の鋼板を同時に洗浄できるようにしたことに特徴を有している。
【００１２】
本実施形態の鋼板の洗浄装置によって洗浄される鋼板等はとくに限定されない。例えば、土木工事の土留めなどに使用される矢板や山留材、覆工板等を本実施形態の鋼板の洗浄装置によって洗浄される鋼板として挙げることができる。とくに、本実施形態の鋼板の洗浄装置は、矢板などの長尺な鋼板等の洗浄に適している。
【００１３】
また、本実施形態の鋼板の洗浄装置によって洗浄される鋼板等の形状もとくに限定されない。例えば、平板状の鋼板や、一般的な矢板（ハット型矢板やＵ型鋼矢板、直線鋼矢板等）を本実施形態の鋼板の洗浄装置によって洗浄される鋼板として挙げることができる。
以下では、洗浄される鋼板が矢板Ｙの場合を説明する。
【００１４】
＜本実施形態の鋼板の洗浄装置１＞
図１に示すように、本実施形態の鋼板の洗浄装置１（以下、単に洗浄装置１という場合がる）は、洗浄する矢板Ｙが配置される鋼板配置部２と、鋼板配置部２に配置された矢板Ｙを洗浄する洗浄部１０とを備えている。
【００１５】
＜鋼板配置部２＞
図１に示すように、鋼板配置部２は、間隔を空けて並んで配置された複数の脚部２ａを備えている。この複数の脚部２ａの上には、網状部材２ｂが配置されている。この網状部材２ｂは、その上面が一方（図１では左側）から他方（図１では右側）にむかって下傾する傾斜面となるように配設されている。
なお、網状部材２ｂの上面が特許請求の範囲にいう配置面に相当し、網状部材２ｂが傾斜する方向（図１では左右方向、図２（Ｂ）では上下方向）が特許請求の範囲にいう配置面の第一方向に相当する。
また、網状部材２ｂが傾斜する方向（配置面の第一方向）に沿った方向と交差する方向（図２（Ｂ）では左右方向）が特許請求の範囲にいう配置面の第二方向に相当する。
以下では、配置面の第一方向を縦行方向、配置面の第二方向を横行方向、といい、配置面の縦行方向に沿って移動することを縦行移動、配置面の第二方向を横行方向に沿って移動することを横行移動、という場合がある。
【００１６】
＜洗浄部１０＞
図１および図２に示すように、洗浄部１０は、洗浄機構２０と、洗浄機構２０が取り付けられるフレーム１１と、フレーム１１（つまり洗浄機構２０）を縦行移動させる洗浄ノズル縦行部１２と、洗浄機構２０を横行移動させる洗浄ノズル横行部１３と、洗浄ノズル縦行部１２および洗浄ノズル横行部１３の作動を制御する制御部１５(図２（Ａ）参照)と、を備えている。
【００１７】
＜洗浄機構２０＞
図１に示すように、洗浄機構２０は、洗浄水を鋼板配置部２の傾斜面（言い換えれば傾斜面上の矢板Ｙ）に吹き付ける洗浄ノズル２１を備えている（図５参照）。この洗浄ノズル２１は、洗浄水を吹き出す吹き出し口２１ｈが傾斜面の下流側（高さの低い側、図１では右側）に向いた状態となるようにノズル保持部２２に設けられている。しかも、洗浄ノズル２１は、傾斜方向と平行かつ傾斜面に向かう方向に洗浄水が吹き出し口２１ｈから吹き出されるようにノズル保持部２２に設けられている。
【００１８】
したがって、洗浄ノズル２１の吹き出し口２１ｈから洗浄水を吹き出せば、洗浄水を矢板Ｙの表面に吹き付けることができ、しかも、吹き付けられた洗浄水を傾斜面の下流側に向かって流すことができる。
【００１９】
＜フレーム１１＞
図１および図２に示すように、鋼板配置部２の両側方には、鋼板配置部２の上面が傾斜する方向（図１では左右方向、図２（Ｂ）では上下方向、以下、傾斜方向という場合がある）に沿って一対のレール１０ｒ，１０ｒが設置されている。
また、鋼板配置部２の上方には、鋼板配置部２を跨ぐように配置されたフレーム１１が設けられている。このフレーム１１は、一対の脚部１１ａ，１１ａと、この一対の脚部１１ａ，１１ａ間に配置された梁１１ｂと、を有している。このフレーム１１の一対の脚部１１ａ，１１ａは、その下端が一対のレール１０ｒ，１０ｒにそれぞれ配置されている。この一対の脚部１１ａ，１１ａの下端には、車輪１１ｓが設けられており、この車輪１１ｓによってフレーム１１は一対のレール１０ｒ，１０ｒに沿って移動可能、つまり、傾斜面の方向に沿って移動可能となるように設けられている。言い換えれば、フレーム１１は、縦行方向に沿って移動可能に設けられている。
【００２０】
＜洗浄ノズル縦行部１２＞
このフレーム１１には、洗浄ノズル縦行部１２が設けられている。この洗浄ノズル縦行部１２は、フレーム１１を傾斜面の傾斜方向（縦行方向）に沿って移動させるものであり、傾斜面の方向に沿ってフレーム１１を間欠的に移動させることができる機能を有している。具体的には、洗浄ノズル縦行部１２は、上述した車輪１１ｓを駆動するモータと減速機を有する駆動源を備えている。このため、洗浄ノズル縦行部１２は、モータの駆動を制御することによって、傾斜面の方向（縦行方向）に沿ってフレーム１１を間欠的かつ所望の方向に移動させることができる。
【００２１】
なお、傾斜面の方向に沿ってフレーム１１を間欠的に移動させることができるのであればよく、洗浄ノズル縦行部は上記の構成に限定されない。例えば、フレーム１１の一端にケーブルやベルト等を取り付けて、このケーブルやベルトを巻き取ったり繰り出したりしてフレーム１１を移動させる構成とすることもできる。この場合には、フレーム１１の一対の脚部１１ａ，１１ａの下端にスライダーを設けて、このスライダーが一対のレール１０ｒ，１０ｒを摺動することによってフレーム１１が移動するようにしてもよい。
【００２２】
＜洗浄ノズル横行部１３＞
図５に示すように、フレーム１１の梁１１ｂには、洗浄ノズル横行部１３を介して、洗浄ノズル２１を有する洗浄機構２０が取り付けられている。洗浄ノズル横行部１３は、梁１１ｂの下面に設けられた一対の横行レール１３ｒ，１３ｒを備えている。この一対の横行レール１３ｒ，１３ｒは、断面Ｉ状の鋼材（Ｉ鋼）で形成されており、その軸方向が梁１１ｂの長手方向（図２では左右方向、図５では紙面に垂直な方向）に沿うようかつ互いに平行となるように設置されている。しかも、一対の横行レール１３ｒ，１３ｒは、その軸方向がほぼ水平になるように設けられている。つまり、一対の横行レール１３ｒ，１３ｒは、鋼板配置部２の傾斜方向とほぼ直交するように、言い換えれば横行方向と平行になるようにフレーム１１の梁１１ｂに取り付けられている。
【００２３】
この一対の横行レール１３ｒ，１３ｒには、一対の横行レール１３ｒ，１３ｒに洗浄機構２０を吊り下げる吊下げ部１４が設置されている。この吊下げ部１４は、一対の横行レール１３ｒ，１３ｒのフランジ部に引っ掛けられた一対の車輪１４ｓ，１４ｓと、この一対の車輪１４ｓ，１４ｓを回転可能に保持し一対の横行レール１３ｒ，１３ｒを挟むように配置される連結部材１４ｂと、を備えている。この連結部材１４ｂが洗浄機構２０のノズル保持部２２に連結されている。
【００２４】
具体的には、一対の車輪１４ｓ，１４ｓは、一対の横行レール１３ｒ，１３ｒにおける互いに対向しない面から外方に突出するフランジに引っ掛けられた状態となるように設けられている。また、連結部材１４ｂは、一対の横行レール１３ｒ，１３ｒ全体を挟むように設けられた一対の取付壁ｗ，ｗと、この一対の取付壁ｗ，ｗを連結する連結壁ｒｗと、を備えている。そして、一対の取付壁ｗ，ｗに一対の車輪１４ｓ，１４ｓが回転可能に取り付けられている。
【００２５】
また、連結部材１４ｂには、一対の車輪１４ｓ，１４ｓのうち一方の車輪１４ｓ（図５では右側の車輪１４ｓ）を駆動するモータなどの駆動源１３ｍが設けられている。この駆動源１３ｍは、ギアやベルト等を介して駆動が伝達されるように一方の車輪１４ｓに連結されている。
【００２６】
したがって、洗浄ノズル横行部１３の駆動源１３ｍを作動させれば、洗浄機構２０を一対の横行レール１３ｒ，１３ｒに沿って移動させることができる。言い換えれば、洗浄機構２０を鋼板配置部２の傾斜方向とほぼ直交する方向（横行方向）に沿って移動させることができる。
【００２７】
なお、洗浄ノズル横行部１３は、車輪１４ｓとの間に横行レール１３ｒのフランジ部を挟むように挟持車輪１４ｐを備えていてもよい。かかる挟持車輪１４ｐを備えていれば、駆動源１３ｍを作動させた際に、車輪１４ｓとフランジ部との間の滑りを防止できるので、洗浄機構２０を一対の横行レール１３ｒ，１３ｒに沿って安定して移動させることができる。
この場合、車輪１４ｓと挟持車輪１４ｐとを歯車等で連結して、両者が同時かつ逆向きに回転しかつ同時に停止するようにしておくことが望ましい。
【００２８】
＜制御部１５＞
図２（Ａ）に示すように、洗浄ノズル縦行部１２の駆動源および洗浄ノズル横行部１３の駆動源１３ｍは、制御部１５に電気的に接続されており、制御部１５によってその作動が制御されている。より詳しくは、制御部１５は、洗浄ノズル縦行部１２によってフレーム１１とともに洗浄機構２０を傾斜方向に沿って縦行移動させる方向とタイミング、縦行移動する速度を制御する機能を有している。さらに、制御部１５は、洗浄ノズル横行部１３によって洗浄機構２０を一対の横行レール１３ｒ，１３ｒに沿って横行移動させる方向とタイミング、横行移動する速度を制御する機能を有している。
なお、制御部１５を設ける場所はとくに限定されず、フレーム１１の梁１１ｂに設けてもよい。また、本実施形態の鋼板の洗浄装置１の外部に制御部１５を設けて、有線または無線で洗浄ノズル縦行部１２の駆動源や洗浄ノズル横行部１３の駆動源１３ｍ等に信号を送信して、装置外部から洗浄ノズル縦行部１２の駆動源や洗浄ノズル横行部１３の駆動源１３ｍ等を制御するようにしてもよい。
【００２９】
＜本実施形態の鋼板の洗浄装置１による洗浄作業＞
上記のごとき構成を有する本実施形態の鋼板の洗浄装置１によれば、洗浄ノズル縦行部１２および洗浄ノズル横行部１３によってフレーム１１および洗浄機構２０を移動すれば、鋼板配置部２の網状部材２ｂ上の複数の矢板Ｙを自動かつ短時間で洗浄することができる。
【００３０】
まず、鋼板配置部２の網状部材２ｂ上に複数枚の矢板Ｙを並べて配置する。このとき、複数枚の矢板Ｙは、その長手方向が互いに平行かつ傾斜方向と平行となるように配置される（図２参照）。
【００３１】
網状部材２ｂ上に複数枚の矢板Ｙが配置されると、洗浄ノズル縦行部１２によってフレーム１１が鋼板配置部２の傾斜面の最上流位置に配置される（図３（Ａ））。このとき、フレーム１１は、洗浄ノズル２１から吹き出される洗浄水を矢板Ｙの上流側の端部に吹き付けることができる位置に配置される。
【００３２】
ついで、洗浄機構２０は、洗浄ノズル横行部１３によって網状部材２ｂの右端近傍に配置される（図４（Ａ）参照）。すると、鋼板配置部２の網状部材２ｂ上の複数の矢板Ｙを洗浄する準備が完了する。なお、洗浄機構２０を配置する位置は、網状部材２ｂの左端近傍でもよい。
【００３３】
上記準備が完了すると、洗浄ノズル２１から洗浄水が吹き出されるので、網状部材２ｂの右端近傍に配置された矢板Ｙに対して洗浄水が吹き付けられる。すると、この矢板Ｙは、上流側の端部から所定の範囲の部分が洗浄水によって洗浄される。言い換えれば、洗浄ノズル２１の吹き出し口２２ｈから一定の範囲（図４（Ａ）のＡＲの部分、以下洗浄範囲ＡＲという）に位置する矢板Ｙの表面が洗浄される。
【００３４】
そして、洗浄ノズル２１から洗浄水を吹き出しながら洗浄ノズル横行部１３によって洗浄機構２０を移動させれば、複数の矢板Ｙは、右端に位置するものから順次洗浄範囲ＡＲに位置する表面が洗浄される。
【００３５】
やがて、洗浄機構２０が左端まで移動すると、洗浄ノズル横行部１３による洗浄機構２０の移動が停止される。すると、洗浄ノズル縦行部１２によってフレーム１１が傾斜方向の下流側に向かって移動する。そして、フレーム１１が傾斜方向における洗浄範囲ＡＲの長さＬ３と同じ距離または若干短い距離だけ移動すると、洗浄ノズル縦行部１２によってフレーム１１の移動が停止される（図３（Ｂ）、図４（Ｂ）参照）。
【００３６】
フレーム１１の移動が停止されると、洗浄ノズル横行部１３によって洗浄機構２０は左端から右端に向かって移動される。つまり、洗浄ノズル横行部１３によって洗浄機構２０は前回移動した方向と逆方向に移動される。
【００３７】
やがて、洗浄機構２０が右端まで移動すると、洗浄ノズル横行部１３による洗浄機構２０の移動が停止される。すると、洗浄ノズル縦行部１２によってフレーム１１が傾斜方向の下流側に向かって移動する。
【００３８】
そして、フレーム１１が傾斜方向における洗浄範囲の長さＬ３と同じ距離または若干短い距離だけ移動すると、洗浄ノズル縦行部１２によってフレーム１１の移動が停止され、再び洗浄ノズル横行部１３によって洗浄機構２０は右端から左端に向かって移動される。
【００３９】
鋼板配置部２の網状部材２ｂの下流端部近傍にフレーム１１が到達するまで上記工程が繰り返され、フレーム１１が鋼板配置部２の網状部材２ｂの下流端部近傍に到達すると、複数の矢板Ｙの洗浄が終了する。
【００４０】
洗浄が終わった矢板Ｙはクレーンなどによって鋼板配置部２の網状部材２ｂの上から取り除かれる。すると、つぎに洗浄する複数枚の矢板Ｙが鋼板配置部２の網状部材２ｂ上に並べて配置され、上記と同様の手順で複数枚の矢板Ｙが洗浄される。
【００４１】
以上のように、本実施形態の鋼板の洗浄装置１によれば、洗浄ノズル縦行部１２および洗浄ノズル横行部１３によってフレーム１１および洗浄機構２０を移動させるだけで、鋼板配置部２の網状部材２ｂ上の複数の矢板Ｙを自動かつ短時間で洗浄することができる。
【００４２】
また、鋼板配置部２は、網状部材２ｂ上に矢板Ｙを載せるようになっているので、洗浄水が傾斜面上に溜まらず迅速に排水できる。すると、一旦、洗浄水によって矢板Ｙから除去された泥などが矢板Ｙに再付着することを防止できる。
【００４３】
なお、洗浄機構２０を横行させる方向は交互に入れ替わるようにしてもよいし、毎回同じ方向に横行させてもよい。上述したように、横行させる方向が交互に入れ替わるようにすれば、洗浄機構２０が洗浄作業をせずに横行する期間を少なくできるので、洗浄効率を向上させることができるという利点が得られる。
【００４４】
洗浄ノズル横行部１３によって洗浄機構２０を移動させる速度は、矢板Ｙの表面の汚れの程度などに応じて適宜設定される。つまり、洗浄ノズル横行部１３は、汚れの状態に応じて洗浄機構２０を横行させる移動速度を調整可能な機能を有しており、矢板Ｙの表面の汚れの程度などに応じて洗浄機構２０を横行させる移動速度は適宜設定される。例えば、矢板Ｙの表面の汚れがひどい場合には、洗浄機構２０を移動させる速度が遅くなり、矢板Ｙの表面の汚れが簡単に落とせる場合には、洗浄機構２０を移動させる速度が速くなる。
【００４５】
また、洗浄ノズル横行部１３は洗浄機構２０を間欠的に移動させるようにしてもよい。例えば、洗浄機構２０が所定の距離だけ横行移動すると横行移動を停止してその状態で洗浄機構２０による矢板Ｙの洗浄を実施する。所定の時間だけ矢板Ｙの洗浄を実施すると、洗浄機構２０を一定の距離だけ横行移動させる。そして、所定の距離だけ洗浄機構２０を横行移動させると横行移動を停止させて、洗浄機構２０による矢板Ｙの洗浄を実施する。このように間欠移動しながら矢板Ｙの洗浄を実施するようにすれば、洗浄機構２０が停止した状態で矢板Ｙを洗浄できるので、洗浄効果を高くできる。とくに、洗浄機構２０を一定の距離だけ横行移動させた際に、前回停止した際に洗浄した領域と今回停止した際に洗浄する領域とが一重なるようにすれば、洗浄漏れが生じにくくなる。
【００４６】
さらに、フレーム１１を一定の距離だけ縦行移動させる際に、フレーム１１が傾斜方向における洗浄範囲ＡＲの長さＬ３よりも短い距離だけ移動させると、縦行方向において洗浄漏れが生じにくくなる。
【００４７】
＜鋼板配置部２について＞
鋼板配置部２の傾斜面の水平面に対する傾斜角度はとくに限定されない。鋼板配置部２上に安定して矢板Ｙを配置でき、しかも、洗浄水をスムースに下流側に流すことができる角度であればよい。例えば、鋼板配置部２の傾斜面の水平面に対する傾斜角度は２度程度以下が好ましい。
【００４８】
また、鋼板配置部２の網状部材２ｂの上面は傾斜面となっていなくてもよい。つまり、鋼板配置部２の網状部材２ｂの上面は水平面になっていてもよい。この場合、矢板Ｙ上の水などは矢板Ｙ上に溜まる可能性がある。しかし、洗浄ノズル２１から吹き出す洗浄水の水圧や流量が十分に大きければ、洗浄水によって矢板Ｙ上の水などを流して矢板Ｙ上から除去することができる。具体的には、洗浄水を縦行方向に向けて吹き出すように洗浄ノズル２１を配置すれば、板Ｙ上の水などを縦行方向に沿って流すことができる。しかも、フレーム１１の縦行移動、つまり、洗浄ノズル２１の縦行方向によって矢板Ｙ上の水などを縦行方向に流す効果を高めることができる。
【００４９】
また、鋼板配置部２は、必ずしも網状部材２ｂを備えていなくてもよい。その場合には、
鋼板配置部２の複数の脚部２ａの上に直接矢板Ｙを載せるようにすればよい。この場合でも、脚部２ａ間の空間から洗浄水を迅速に排水できるので、洗浄水によって除去された泥などが矢板Ｙに再付着することを防止できる。この場合には、複数の脚部２ａの両端に位置する脚部２ａ（図１では左端と右端の脚部２ａ）の上面を繋ぐ面（仮想傾斜面）の傾斜角度が上記角度となり、かつ、両端に位置する脚部２ａの間の脚部２ａの上端が仮想傾斜面よりも上方に位置しないように配設される。
【００５０】
さらに、鋼板配置部２は、単なる板状の部材を複数の脚部２ａの上に載せて、その板状の部材の上に矢板Ｙを載せるようにしてもよい。
【００５１】
＜洗浄機構２０＞
本実施形態の鋼板の洗浄装置１では、洗浄機構２０の洗浄ノズル２１によって洗浄水を吹き付けて矢板Ｙを洗浄できるが、洗浄機構２０が以下の構造を有していれば、より洗浄効果を高めることができる。
【００５２】
＜洗浄ノズル２１＞
図５に示すように、洗浄機構２０の洗浄ノズル２１は、筒状であってその先端に吹き出し口２１ｈが形成されたものである。この洗浄ノズル２１は、上述したように、洗浄水を吹き出す吹き出し口２１ｈが傾斜方向の下流側を向いた状態となるようにノズル保持部２２に設けられている。しかも、洗浄ノズル２１は、傾斜方向と平行かつ傾斜面に向かう方向に洗浄水が吹き出し口２１ｈから吹き出されるようにノズル保持部２２に設けられている。具体的には、洗浄ノズル２１は、その軸方向が鋼板配置部２の網状部材２ｂの傾斜方向に沿うように設けられており、その吹き出し口２１ｈが鋼板配置部２の網状部材２ｂの傾斜方向の下流側を向くように配設されている。
【００５３】
この洗浄ノズル２１は、その基端にチューブ等を介して洗浄水供給部２３に接続されている。この洗浄水供給部２３は、高圧の洗浄水を洗浄ノズル２１に所定の流量で供給できるものである。したがって、洗浄水供給部２３を作動させれば、高圧の洗浄水を洗浄ノズル２１の吹き出し口２１ｈから吹き出すことができるので、高圧の洗浄水を矢板Ｙの表面に吹き付けて洗浄水によって矢板Ｙを洗浄することができる。
【００５４】
なお、洗浄水供給部２３から洗浄ノズル２１に供給される洗浄水の水圧や流量はとくに限定されず、洗浄対象の矢板Ｙの汚れ度合いや素材、鋼板配置部２上面の傾斜角度等などによって適宜調整される。例えば、鋼板をハット型やＵ型、直線等の形状にした一般的な矢板Ｙであれば、水圧は５〜２０Ｐａ程度に調整され、流量は５０〜１００Ｌ/ｍｉｎ．程度に調整される。
【００５５】
また、洗浄ノズル２１は、その軸方向が水平よりも下向き、とくに、鋼板配置部２の網状部材２ｂ上面の水平に対する角度よりもその軸方向が大きく下方に向くように設けられていることが望ましい。このように洗浄ノズル２１を設ければ、洗浄ノズル２１から吹き出される洗浄水を確実に矢板Ｙの上面に吹き付けることができるので、洗浄効果を高くできる。
【００５６】
＜往復移動機構２５＞
洗浄ノズル２１は、上記のような状態でノズル保持部２２に固定されていてもよい。しかし、吹き出し口２１ｈが鋼板配置部２の網状部材２ｂの傾斜方向に沿って往復移動するようになっていれば、洗浄水による矢板Ｙの洗浄効果を高めることができる。つまり、前記洗浄ノズル２１が揺動した際に、洗浄ノズル２１の吹き出し口２１ｈから吹き出される洗浄水が網状部材２ｂの傾斜方向に沿って往復移動するようになっていれば、洗浄水による矢板Ｙの洗浄効果を高めることができる。吹き出し口２１ｈを往復移動させる機構はとくに限定されず、どのような構造を採用してもよい。
【００５７】
例えば、図５に示すように、横行方向と平行に配置された軸２６を設けて、この軸２６に洗浄ノズル２１の基端を回転可能に連結する。つまり、軸２６を支点として、その先端が揺動するように、軸２６を介して洗浄ノズル２１をノズル保持部２２に連結する。また、洗浄ノズル２１に、その軸方向と平行なスリット２７ｈを有するカム板２７を設ける。
【００５８】
軸２６よりも傾斜方向の下流側には、傾斜軸２６と平行な回転軸２８ａをノズル保持部２２に回転可能に設ける。この回転軸２８ａは、その基端がモータ等の駆動源に連結されており、駆動源の駆動力によって回転可能とする。一方、回転軸２８ａの先端には、回転軸２８ａと直交する回転面２８ｆを有する回転板２８を設ける。そして、この回転板２８の回転面２８ｆには、カム板２７のスリット２７ｈの軸方向に沿って移動可能に挿入された状態となるようにカム２８ｃを設ける。
【００５９】
以上のごとき構造とすれば、駆動源によって回転軸２８ａが回転されれば、回転軸２８ａに設けられている回転板２８も回転するので、回転板２８に設けられているカム２８ｃは回転軸２８ａの周りを周回移動する。すると、カム２８ｃはカム板２７のスリット２７ｈの軸方向に沿って移動可能であるから、回転板２８の回転に伴ってカム２８ｃがカム板２７のスリット２７ｈの軸方向に移動する。洗浄ノズル２１は軸２６を支点としてその先端が揺動可能であるので、カム２８ｃの移動に伴って洗浄ノズル２１はその先端が揺動する(図５の点線参照)。洗浄ノズル２１は、傾斜方向と平行かつ傾斜面に向かう方向に洗浄水が吹き出し口２１ｈから吹き出されるようにノズル保持部２２に設けられている。したがって、洗浄ノズル２１の先端を揺動させれば、洗浄ノズル２１から矢板Ｙに吹き付けられる洗浄水を矢板Ｙの長手方向に移動させることができるし、矢板Ｙに洗浄水が吹き付けられる角度も変化させることができるので、矢板Ｙの洗浄効果を高めることができる。
【００６０】
なお、矢板Ｙの長手方向だけでなく長手方向と交差する方向でも洗浄ノズル２１から洗浄水を矢板Ｙに吹き付ける角度が変更できるようになっていれば、矢板Ｙの洗浄効果をさらに高めることができる。また、矢板Ｙの長手方向と交差する方向でも洗浄水を矢板Ｙに吹き付ける角度を変更できるようになっていることが望ましい。
【００６１】
上述したカム２８ｃとカム板２７が特許請求の範囲にいうカム機構に相当する。なお、カム機構は、上記のごとき構成に限られず、回転板２８の回転によって洗浄ノズル２１の先端を揺動させることができるものであればよい。
【００６２】
また、洗浄ノズル２１の先端を揺動させる構成は、上述したような、回転板２８とカム機構を利用するものに限定されない。例えば、上記のように軸２６を支点として洗浄ノズル２１の先端が揺動可能になっていれば、洗浄ノズル２１の先端部分とノズル保持部２２との間にシリンダ機構を設けてもよい。この場合には、シリンダ機構を伸縮すれば、洗浄ノズル２１の先端を上下に揺動させることができる。
【００６３】
＜複数の洗浄ノズル２１＞
洗浄ノズル２１は、１本でもよいし２本以上設けてもよい。複数本の洗浄ノズル２１を傾斜方向に並べて配置すれば、一回で洗浄できる範囲を広くできるので、洗浄時間を短くできる。また、複数本の洗浄ノズル２１を横行方向に沿って並べて配置すれば、一回横行方向に移動させるだけで、同じ場所を複数回洗浄できるので、矢板Ｙの洗浄効果を高めることができる。
【００６４】
また、複数本の洗浄ノズル２１を横行方向に並べて配置し、かつ、往復移動機構２５を各洗浄ノズル２１に設けた場合には、複数本の洗浄ノズル２１の吹き出し口２１ｈが往復移動する位相がズレるように各洗浄ノズル２１の往復移動を制御することが望ましい。かかる構成とすれば、矢板Ｙの汚れや矢板Ｙ上の洗浄水を洗い流しやすくなるという効果が得られる。
【００６５】
例えば、上述したような回転板２８とカム機構によって各洗浄ノズル２１の往復移動を制御している場合には、各洗浄ノズル２１の往復移動を制御する回転板２８の回転軸２８ａを同軸として、カム２８ｃの位置が異なるようにする。すると、回転板２８が回転した際に、カム板２７のスリット２７ｈの軸方向におけるカム２８ｃの位置が異なるので、各洗浄ノズル２１の往復移動した際に、吹き出し口２１ｈの傾斜方向の位置（つまり位相）を異なるようにすることができる。
【００６６】
また、洗浄ノズル２１は上下方向に複数本並べて配置してもよい。この場合は、横行方向に複数本のノズルを並べた場合とは異なる洗浄効果が得られる。
【００６７】
＜高さ調整機能３０＞
洗浄ノズル２１の吹き出し口２１ｈから吹き出される洗浄水が矢板Ｙに吹き付けられる位置は、吹き出し口２１ｈと矢板Ｙとの鉛直方向に位置によって決定される。したがって、矢板Ｙの形状や大きさが変化すれば、洗浄水が矢板Ｙに吹き付けられる位置も変化する。
【００６８】
そこで、洗浄機構２０は、洗浄水が矢板Ｙに吹き付けられる位置を矢板Ｙに合わせて調整する高さ調整機能３０を備えていてもよい。高さ調整機能３０の構成はとくに限定されない。例えは、図５に示すように、洗浄ノズル横行部１３の連結部材１４ｂと洗浄機構２０のノズル保持部２２との間にラックピニオン機構を設けて高さ調整機能３０とすることができる。具体的には、洗浄ノズル横行部１３の連結部材１４ｂに、その軸方向が鉛直方向と平行となるようにラック３１を設ける。そして、このラック３１の下端をノズル保持部２２に連結する。一方、連結部材１４ｂには、駆動モータや手動ハンドル等によって回転される軸３３を設けて、この軸３３にラック３１と噛み合うピニオン３２を設ける。すると、駆動モータや手動ハンドル等によって軸３３を回転すれば、ピニオン３２の回転にともなって、ラック３１が軸方向に移動するので、ノズル保持部２２を昇降させることができ、洗浄ノズル２１の吹き出し口２１ｈと矢板Ｙとの鉛直方向の高さを調整することができる。
【００６９】
また、洗浄ノズル横行部１３の連結部材１４ｂと洗浄機構２０のノズル保持部２２との間にシリンダ機構を設けて高さ調整機能３０とすることもできる。この場合も、シリンダ機構を伸縮させれば、洗浄ノズル横行部１３の連結部材１４ｂと洗浄機構２０のノズル保持部２２との間の距離を変化させることができるので、洗浄ノズル２１の吹き出し口２１ｈと矢板Ｙとの鉛直方向の高さを調整することができる。
【産業上の利用可能性】
【００７０】
本発明の鋼板の洗浄装置は、鋼板製の矢板や山留材、覆工板等を洗浄する装置として適している。
【符号の説明】
【００７１】
１          鋼板の洗浄装置
２          鋼板配置部
１０          洗浄部
１２          洗浄ノズル縦行部
１３          洗浄ノズル横行部
１５          横行部
２０          洗浄機構
２１          洗浄ノズル
２１ｈ        吹き出し口
２５          往復移動機構
２６          軸
２７          カム板
２７ｈ        スリット
２８          回転板
２８ｃ        カム
３０          高さ調整機構
３１          ラック
３２          ピニオン
Ｙ          矢板
【図１】
2019217443.tif 000003
【図２】
2019217443.tif 000004
【図３】
2019217443.tif 000005
【図４】
2019217443.tif 000006
【図５】
2019217443.tif 000007